(57)【要約】【課題】  未使用ポートの回線品質監視部が、回線品質の異常を誤検出して、上位に誤った異常報告を通知するのを防ぎ、システムの信頼性を向上させ、メンテナンスを容易にすることができる無線通信システムを提供する。【解決手段】  監視卓７から、中継機２、子機４、ＨＵＢ５に対して、装置番号とポート番号とを指定して、回線品質監視部の動作を停止する回線品質監視動作停止指示を送信すると、指定された装置は指示を受信して、制御部が、指示に基づいて不揮発性メモリにポート番号に対応する回線品質監視部の動作を「オフ」として記憶すると共に、「オフ」を示す情報に応じて回線品質監視部の動作を停止させ、更に、電源投入時に、「オフ」に指定されたポート番号に対応する回線品質監視部の動作を停止させる無線通信システムとしている。【選択図】        図１
2010074268.tif 000002
【特許請求の範囲】
【請求項１】
基地局からの信号を複数のマスタポートを介して下位に分配出力する中継機と、上位からの信号を受信して複数のマスタポートを介して下位に分配出力するハブと、上位から受信した信号を増幅してアンテナから出力すると共に、マスタポートから下位に出力する子機を備えた無線通信システムであって、
前記中継機と、前記ハブと、前記子機が、
各装置内のマスタポートに対応して回線品質を監視する回線品質監視部と、
前記回線品質監視部で回線品質の異常が検出されると上位の監視装置に前記異常を通知する制御部と、
前記回線品質監視部毎に、動作のオン／オフを示す情報を記憶する不揮発性メモリとを備え、
前記制御部が、前記監視装置から、マスタポートを特定するポート番号及びそれに対応する回線品質監視部を停止させる指示を受信すると、前記不揮発性メモリに、前記指示で指定されたポート番号に対応する回線品質監視部について動作の「オフ」を示す情報を記憶すると共に、「オフ」を示す情報に応じて前記回線品質監視部の動作を停止させ、更に、電源投入時に、前記不揮発性メモリから前記回線品質監視部毎の動作のオン／オフを示す情報を読み取って、「オフ」を示す情報が記憶されている回線品質監視部の動作を停止させることを特徴とする無線通信システム。
【請求項２】
基地局からの信号を複数のマスタポートを介して下位に分配出力する中継機と、上位からの信号を受信して複数のマスタポートを介して下位に分配出力するハブと、上位から受信した信号を増幅してアンテナから出力すると共に、マスタポートから下位に出力する子機を備えた無線通信システムであって、
前記中継機と、前記ハブと、前記子機が、
各装置内のマスタポートに対応して回線品質を監視する回線品質監視部と、前記回線品質監視部で回線品質の異常が検出されると上位の監視装置に前記異常を通知する制御部とを備え、
前記基地局が、下位装置のマスタポートを特定するポート番号及び前記ポート番号に対応する回線品質監視部を停止させる情報を記憶する不揮発性メモリと、前記不揮発性メモリに記憶されたポート番号及び情報を下位装置に送信する制御部とを備え、
前記中継機と、前記ハブと、前記子機の制御部が、前記基地局から、マスタポートを特定するポート番号及びそれに対応する回線品質監視部を停止させる情報を受信すると、前記情報に応じて前記回線品質監視部の動作を停止させることを特徴とする無線通信システム。
【発明の詳細な説明】
【技術分野】
【０００１】
本発明は、無線通信システムに係り、特に子機やＨＵＢを多段に接続したシステムにおいて、下位装置から誤った異常報告が出力されるのを防ぎ、システムの信頼線を向上させ、メンテナンスを容易にすることができる無線通信システムに関する。
【背景技術】
【０００２】
［先行技術の説明］
デジタル移動体通信では、高出力の送信増幅器が用いられる。従来は、送信増幅器は基地局と同一の架に設置されることが多かったが、近年、無線部と送信増幅器の機能を備えた送受信増幅器を基地局と切り離して、両者を光ファイバで接続する構成も用いられている。このような構成をＲＯＦ（Radio On Fiber）、ＲＲＨ（Remote Radio Head）と称する。
ＲＯＦ、ＲＲＨを用いることにより、通信品質を向上し、運用コストを低減し、保守を容易にするといった効果がある。
【０００３】
［基地局と送受信増幅器の構成例］
ＲＯＦ、ＲＲＨにおける基地局と送受信増幅器の構成例について説明する。ＲＯＦ、ＲＲＨにおける基地局と送受信増幅器の構成例としては、スター型（Star topology）とチェーン型（Chain topology）がある。
スター型は、基地局に、複数の送受信増幅器（TRX-AMP）が光ファイバを介して直接接続された構成である。
【０００４】
基地局は、光インタフェース（Ｉ／Ｆ）を実装しており、基地局から送受信増幅器への信号を電気信号から光信号に変換して光ファイバを介して送信すると共に、送受信増幅器から受信した光信号を電気信号に変換する。
光ファイバは、光信号を伝送するものであり、CPRI、OBSAI等の規格がある。
【０００５】
送受信増幅器は、光信号と電気信号の相互変換を行う光−電気変換部を備え、光ファイバを介して基地局から送信された送信データを受信して増幅し、アンテナから出力すると共に、アンテナで受信した受信データを増幅して光ファイバを介して基地局に送信する。
スター型では、子局である送受信増幅器が、それぞれ基地局の光インタフェースに接続する構成となっている。
【０００６】
また、チェーン型では、基地局に、光ファイバを介して送受信増幅器が接続され、更に、その送受信増幅器に、光ファイバを介して別の送受信増幅器が接続される構成である。
つまり、送受信増幅器が光ファイバで接続されており、下位の送受信増幅器は上位の送受信増幅器を経由して基地局と接続された構成である。
【０００７】
チェーン型で用いられる送受信増幅器は、スレーブポート（slave port）とマスタポート（master port）の２つのポートを備えており、スレーブポートで上位の基地局や送受信増幅器との送受信を行い、マスタポートで下位の送受信増幅器との送受信を行う。
スレーブポートは、つながり先のクロックで動作するための入出力ポートであり、マスタポートは、つながり先を出力クロックで動作させるための入出力ポートである。
【０００８】
［光伝送システムの概要］
光伝送システムは、基地局と中継機と子機（送受信増幅器）を光ファイバもしくは同軸ケーブルによって接続したものであり、基地局が出力する信号をそのまま遠方の不感地帯へ伝送し、移動体通信のサービスエリアの拡大を図る無線通信システムである。基地局と中継機との間は、光ファイバを用いるのが一般的である。
【０００９】
光伝送システムでは、不感地帯に設けられた基地局に光インタフェースを設け、中継器が光ファイバによって基地局に接続され、更に中継機に複数の子機がスター型又はチェーン型で接続されている。中継機と子機の間は同軸ケーブル又は光ファイバ、子機と子機との間は光ファイバによって接続される。
このように、光伝送システムは、ビル内等の無線信号が到達しない不感地帯でも移動体通信を可能とし、移動体無線システムのサービスエリアの拡大を図ることができるものである。
【００１０】
［チェーン型のシステムの例：図５］
また、基地局に接続する中継機（親機）に、子機またはハブ（ＨＵＢ）を多段に複数接続したチェーン型の構成を備えた無線通信システムもある。このような構成は、システム構成の自由度を増大させることができ、設置場所に応じた構成とすることができるものである。
【００１１】
チェーン型の構成を備えた無線通信システムについて、光伝送システムを例として図５を用いて説明する。図５は、チェーン型接続可能な子機及びＨＵＢを備えた無線通信システムの構成例を示す模式説明図である。
図５に示すように、チェーン型接続可能な子機及びＨＵＢを備えた無線通信システムは、基地局（ＢＴＳ）１と、中継機２と、子機４ａ〜４ｆと、ＨＵＢ５ａ、５ｂとを備え、中継機２と子機４、子機４同士、子機４とＨＵＢ５とは光ファイバ３によって接続されている。また、中継機２には、オペレータの操作によりシステムの動作状況を監視する監視卓７が接続されている。
【００１２】
基地局１は、移動体無線システムの基地局であり、高周波信号の送受信を行う。ここでは同軸ケーブルによって中継機２に接続されている。また、基地局１に光インタフェースが設けられている場合には、基地局１と中継機２とを光ファイバを介して接続してもよい。
【００１３】
中継機２は、基地局１から遠く離れた場所に設置され、基地局１から受信した信号を光信号に変換し、光ファイバ３を介して子機４やＨＵＢ５に分配出力する。また、中継機２は、子機４やＨＵＢ５から光ファイバ３を介して受信した光信号を電気信に変換し、多重化して基地局１に送信する。
【００１４】
図５の例では、中継機２は、光ファイバ３が接続する複数のポート（マスタポート）２２ａ〜２２ｅを備えており、複数の子機４やＨＵＢ５が接続可能となっている。ここでは、子機４ａ、及び４ｂ、ＨＵＢ５が中継機２のマスタポート２２に接続されている。
【００１５】
子機４は、中継機２から受信した光信号を電気信号（高周波信号）に変換して、高周波信号を増幅し、アンテナを介して無線信号として出力すると共に、移動端末から送信された無線信号を受信して増幅し、光信号に変換して中継機２に向けて出力する送受信増幅器（ＴＲＸ−ＡＭＰ）である。
また、子機４にはスレーブポート４１とマスタポート４２が設けられており、上位装置（中継機２，ＨＵＢ５，子機４のいずれか）にはスレーブポート４１で接続し、下位装置の子機４又はＨＵＢ５にはマスタポート４２で接続している。
【００１６】
また、ＨＵＢ５には１つのスレーブポート５１と複数のマスタポート５２が設けられており、複数の下位装置が接続可能となっている。
図５の例では、ＨＵＢ５ａのマスタポート５２ａに子機４ｃが接続され、更に子機４ｃのマスタポート４２に子機４ｄが接続されている。
【００１７】
［回線品質の監視：図５］
更に、中継機２、子機４、ＨＵＢ５には、各ポートで受信した受信信号の品質を監視する機能が設けられている。
図示は省略するが、中継機２では、複数のマスタポートのそれぞれについて回線品質を監視する回線品質監視部を備え、子機４及びＨＵＢ５では、スレーブポートにおいて受信した上位装置からの信号の品質と、マスタポートにおいて受信した下位装置からの信号の品質とを監視する回線品質監視部を備えている。
ＨＵＢ５には、中継機２と同様に複数のマスタポートが設けられており、マスタポート毎に対応する回線品質監視部が受信信号の品質を監視している。
そして、中継機２、子機４、ＨＵＢ５では、いずれかの回線品質監視部で異常を検出した場合には、制御部が、上位の監視卓７に異常報告を行うようになっている。
【００１８】
［未使用ポート：図５］
また、自由度の高いシステム構成を図るために、中継機２、ＨＵＢ５、子機４が複数のマスタポートを備えており、システムの配置によっては装置が接続されない未使用ポート（空きポート）となる場合がある。
図５の例では、中継機２のマスタポート２２ｂ、２２ｄや、ＨＵＢ５ａのマスタポート５２ｃ、子機４ｂ、４ｄ、４ｅ、４ｆのマスタポート４２等が未使用ポートとなっている。
【００１９】
［先行技術文献］
尚、無線通信システムに関する先行技術としては、特開２００５−０５７６５１号公報（特許文献１）がある。
特許文献１には、デジタル無線信号に通信品質を測定するための検査信号を付加して送信し、受信した信号に対して通信品質を測定し、通信品質の測定結果に基づいて、上位監視装置に対しての報告、若しくは光伝送系の遮断を行う光デジタル伝送の品質監視方法及び無線基地局装置が記載されている。
【００２０】
【特許文献１】特開２００５−０５７６５１号公報
【発明の開示】
【発明が解決しようとする課題】
【００２１】
しかしながら、従来の無線通信システムでは、未使用ポートについても回線品質監視部において回線品質を監視するため、未使用であるにもかかわらず通信品質が悪いと判断して上位装置に異常報告を行ってしまう恐れがあり、監視卓のオペレータが、実際に回線品質の異常なのか、空きポートによる誤った異常報告なのかを判断しなければならず、煩雑であり、判断を誤るとシステム運用に支障を来たす恐れがあるという問題点があった。
【００２２】
本発明は上記実状に鑑みて為されたもので、未使用ポートの回線品質監視部が上位に誤った異常報告を通知するのを防ぎ、システムの信頼性を向上させ、メンテナンスを容易にすることができる無線通信システムを提供することを目的とする。
【課題を解決するための手段】
【００２３】
上記従来例の問題点を解決するための本発明は、基地局からの信号を複数のマスタポートを介して下位に分配出力する中継機と、上位からの信号を受信して複数のマスタポートを介して下位に分配出力するハブと、上位から受信した信号を増幅してアンテナから出力すると共に、マスタポートから下位に出力する子機を備えた無線通信システムであって、中継機と、ハブと、子機が、各装置内のマスタポートに対応して回線品質を監視する回線品質監視部と、回線品質監視部で回線品質の異常が検出されると上位の監視装置に前記異常を通知する制御部と、回線品質監視部毎に、動作のオン／オフを示す情報を記憶する不揮発性メモリとを備え、制御部が、監視装置から、マスタポートを特定するポート番号及びそれに対応する回線品質監視部を停止させる指示を受信すると、不揮発性メモリに、指示で指定されたポート番号に対応する回線品質監視部について動作の「オフ」を示す情報を記憶すると共に、「オフ」を示す情報に応じて回線品質監視部の動作を停止させ、更に、電源投入時に、不揮発性メモリから回線品質監視部毎の動作のオン／オフを示す情報を読み取って、「オフ」を示す情報が記憶されている回線品質監視部の動作を停止させることを特徴としている。
【００２４】
また、本発明は、基地局からの信号を複数のマスタポートを介して下位に分配出力する中継機と、上位からの信号を受信して複数のマスタポートを介して下位に分配出力するハブと、上位から受信した信号を増幅してアンテナから出力すると共に、マスタポートから下位に出力する子機を備えた無線通信システムであって、中継機と、ハブと、子機が、各装置内のマスタポートに対応して回線品質を監視する回線品質監視部と、回線品質監視部で回線品質の異常が検出されると上位の監視装置に異常を通知する制御部とを備え、基地局が、下位装置のマスタポートを特定するポート番号及びポート番号に対応する回線品質監視部を停止させる情報を記憶する不揮発性メモリと、不揮発性メモリに記憶されたポート番号及び情報を下位装置に送信する制御部とを備え、中継機と、ハブと、子機の制御部が、基地局から、マスタポートを特定するポート番号及びそれに対応する回線品質監視部を停止させる情報を受信すると、情報に応じて回線品質監視部の動作を停止させることを特徴としている。
【発明の効果】
【００２５】
本発明によれば、無線システムにおいて、中継機と、ハブと、子機が、各装置内のマスタポートに対応して回線品質を監視する回線品質監視部と、回線品質監視部で回線品質の異常が検出されると上位の監視装置に前記異常を通知する制御部と、回線品質監視部毎に、動作のオン／オフを示す情報を記憶する不揮発性メモリとを備え、制御部が、監視装置から、マスタポートを特定するポート番号及びそれに対応する回線品質監視部を停止させる指示を受信すると、不揮発性メモリに、指示で指定されたポート番号に対応する回線品質監視部について動作の「オフ」を示す情報を記憶すると共に、「オフ」を示す情報に応じて回線品質監視部の動作を停止させ、更に、電源投入時に、不揮発性メモリから回線品質監視部毎の動作のオン／オフを示す情報を読み取って、「オフ」を示す情報が記憶されている回線品質監視部の動作を停止させる無線通信システムとしているので、監視装置から、未使用となっているマスタポートの番号を指定して回線品質監視部を停止する指示を送信すれば、中継機、ハブ、子機の未使用ポートに対応する回線品質監視部の動作を停止させることができ、未使用ポートにおいて回線品質の異常を誤検出するのを防ぐことができ、監視装置に誤った異常報告が送信されるのを防ぎ、システムの信頼性を向上させ、オペレータの負荷を軽減してメンテナンスを容易にすることができる効果がある。
【００２６】
また、本発明によれば、無線システムにおいて、中継機と、ハブと、子機が、各装置内のマスタポートに対応して回線品質を監視する回線品質監視部と、回線品質監視部で回線品質の異常が検出されると上位の監視装置に異常を通知する制御部とを備え、基地局が、下位装置のマスタポートを特定するポート番号及びポート番号に対応する回線品質監視部を停止させる情報を記憶する不揮発性メモリと、不揮発性メモリに記憶されたポート番号及び情報を下位装置に送信する制御部とを備え、中継機と、ハブと、子機の制御部が、基地局から、マスタポートを特定するポート番号及びそれに対応する回線品質監視部を停止させる情報を受信すると、情報に応じて回線品質監視部の動作を停止させ無線通信システムとしているので、基地局から、未使用となっているマスタポートの番号を指定して回線品質監視部を停止する情報を送信すれば、中継機、ハブ、子機の未使用ポートに対応する回線品質監視部の動作を停止させることができ、未使用ポートにおいて回線品質の異常を誤検出するのを防ぐことができ、監視装置に誤った異常報告が送信されるのを防ぎ、システムの信頼性を向上させ、オペレータの負荷を軽減してメンテナンスを容易にすることができる効果がある。
【発明を実施するための最良の形態】
【００２７】
［発明の概要］
本発明の実施の形態について図面を参照しながら説明する。
本発明の実施の形態に係る無線通信システムは、子機、ＨＵＢ、中継機の各装置が、ポート毎に回線品質を監視する回線品質監視部を備えると共に、システム構築時に各ポートの使用／未使用の状況に応じて各回線品質監視部の動作のオン／オフを示す情報を不揮発性メモリに記憶しておき、各装置の制御部が、装置の電源投入時に、不揮発性メモリから各回線品質監視部のオン／オフを示す情報を読み取ってそれぞれの回線品質監視部の動作／停止を制御するものであり、未使用ポートに対応する回線品質監視部の動作をオフにして、回線品質の異常を誤検出しないようにして、上位装置に誤った異常報告を行うのを防ぎ、システムの信頼性を向上させ、メンテナンスを容易にすることができるものである。
【００２８】
また、本実施の形態に係る無線通信システムは、上位の監視卓から、子機、ＨＵＢ、中継機の各装置に対して各ポートの使用／未使用を示すデータを送信し、各装置の制御部が、各装置の制御部が、受信したデータに基づいて、不揮発性メモリに、各ポートに対応する回線品質監視部毎の動作のオン／オフを記憶しておき、電源投入時に、不揮発性メモリに記憶されているデータに基づいて、「オフ」が記憶されている回線品質監視部の動作を停止するものであり、監視卓からの設定で各装置の回線品質監視部の動作のオン／オフを制御でき、また、システムの構成が変更になった場合にも容易に回線品質監視部のオン／オフを変更でき、システムの信頼性を向上させ、メンテナンスを容易にすることができるものである。
【００２９】
［実施の形態の無線通信システムの構成：図５］
本発明の実施の形態に係る無線通信システム（本システム）の概略構成は、図５に示した従来の無線通信システムと同様の光伝送システムであるため図示は省略するが、基地局（ＢＴＳ）１と、中継機２と、子機４ａ〜４ｆと、ＨＵＢ５ａ〜５ｂと、監視卓７とを備え、中継機２と子機４、子機４同士、子機４とＨＵＢ５とは光ファイバ３によって接続されている。また、中継機２と基地局１、中継機２と監視卓７とは同軸ケーブルで接続されている。
【００３０】
そして、従来と同様に、中継機２と、子機４と、ＨＵＢ５は、各マスタポート及びスレーブポートに対応した回線品質監視部を備え、ポート毎に回線品質の状態を監視して、結果を装置の制御部に通知し、制御部が、回線品質が良好でない場合には、監視卓７に異常報告を出力するようになっている。
【００３１】
監視卓７は、オペレータによって操作され、各装置（中継機２、子機４、ＨＵＢ５）からの動作状態の報告を受けてシステムの動作状態を表示し、また、各装置から異常が通知された場合には、その旨を表示や音声でオペレータに認識可能に報知する。尚、監視卓７は、請求項における「監視装置」に相当している。
【００３２】
更に、本システムの特徴として、中継機２と、子機４と、ＨＵＢ５は、空きポートに対応する回線品質監視部の動作をオフにして、回線状態の異常を誤検出しないようにしている。
それぞれの装置の構成及び動作については後で詳細に説明する。
【００３３】
［子機４の構成：図１］
子機４の構成について図１を用いて具体的に説明する。図１は、本システムの子機４の構成を示す構成ブロック図である。
図１に示すように、子機４は、スレーブポート４１と、マスタポート４２と、信号処理部４３と、無線部４４と、アンテナ４５と、上位回線品質監視部４６と、下位回線品質監視部４７と、制御部４８と、不揮発性メモリ４９とを備えている。
【００３４】
スレーブポート４１は、光信号の送受信を行う光信号送受信部と、光信号と電気信号の相互変換を行う光−電気変換部とを備えており（図示省略）、上位装置からの光信号を受信して無線信号に変換し、信号処理部４３と、上位回線品質監視部４６と、マスタポート４２に出力する。また、上位装置に送るための電気信号を光信号に変換して上位の光ファイバ３に出力する。スレーブポート４１は、上位装置のクロックに合わせて動作を行う。
【００３５】
マスタポート４２は、光信号の送受信を行う光信号送受信部と、光信号と電気信号の相互変換を行う光−電気変換部とを備えており（図示省略）、下位装置からの光信号を受信して無線信号に変換し、下位回線品質監視部４７とスレーブポート４１に出力する。また、スレーブポート４１から入力された、下位装置に送るための電気信号を光信号に変換して下位の光ファイバ３に出力する。マスタポート４２は、接続された下位装置を自己のクロックに合わせて動作させる。
【００３６】
信号処理部４３は、スレーブポート４１から入力された上位装置からの無線信号のデジタル信号処理を行ってベースバンド信号として無線部４４に出力すると共に、無線部４４から入力された移動局（図示せず）からのベースバンド信号のデジタル信号処理を行ってスレーブポート４１に出力する。
【００３７】
無線部４４は、ベースバンド信号を無線周波数に変換してアンテナ４５から空中に放出すると共に、無線周波数信号を受信してベースバンド信号に変換し、信号処理部４２に出力する。
アンテナ４５は、無線周波数信号の送受信を行う。
【００３８】
尚、子機４が、上位装置からの信号を中継して下位装置に送信したり、下位装置からの信号を中継して上位装置に送信する際には、信号処理等の子機４内部での処理は行わず、スレーブポート４１とマスタポート４２とが直接信号のやりとりを行う。
【００３９】
上位回線品質監視部４６は、本システムの特徴部分であり、スレーブポート４１から入力された上位装置からの受信信号を入力して、当該受信信号に基づいて回線品質を監視し、異常を検出した場合には、上位回線の回線品質が異常であることを示す信号を制御部４８に出力する。
【００４０】
同様に、下位回線品質監視部４７は、マスタポート４２から入力された下位装置からの受信信号を入力して、当該受信信号に基づいて回線品質を監視し、異常を検出した場合には、下位回線の回線品質が異常であることを示す信号を制御部４８に出力する。
【００４１】
回線品質の監視は、一般的な方法で実現されるが、例えば受信信号強度を検出し、検出された受信信号強度が予め設定された基準値以上の場合には正常と判定し、基準値未満の場合には異常と判定する、といった方法が考えられる。
あるいは、受信信号中の誤り訂正符号に基づいて誤り率を検出し、誤り率が基準値よりも高ければ（誤りが多ければ）回線品質が異常であると判定するようにしてもよい。
【００４２】
そして、本システムの特徴として、上位回線品質監視部４６及び下位回線品質監視部４７は、電源投入時に、制御部４８からの動作のオン／オフ指示に基づいて動作を開始／停止する。ここでは、通常は（指示がなければ）動作を開始し、制御部４８から動作停止の指示が入力された場合に動作を停止するようにしている。
【００４３】
また、不揮発性メモリ４９は、本システムの特徴部分であり、上位回線品質監視部４６及び下位回線品質監視部４７の動作のオン／オフを指定するデータを記憶している。回線品質監視部の動作のオン／オフは、ポートの使用／未使用に対応しているので、ポート番号とその使用／未使用のデータであってもよい。
【００４４】
これらのデータは、例えば、外部の入力装置から入力されたり、監視卓７から送信されて、制御部４８によって設定されるものである。本実施の形態では、監視卓７から未使用ポートに対応する回線品質監視部の動作を停止する指示（回線品質監視動作停止指示）が送信され、制御部４８が、その情報に基づいて、不揮発性メモリ４９に、上位回線品質監視部４６及び下位回線品質監視部４７の動作のオン／オフを記憶するようにしている。その際、指定されたポート番号に対応する回線品質監視部の動作をオフに設定する。
また、監視卓７から、ポートの使用／未使用の情報が送信され、制御部４８が、受信したポートの使用／未使用の情報をそのまま不揮発性メモリ４９に記憶しておき、電源投入時に「未使用」のポート番号に対応する回線品質監視部を停止するように制御してもよい。
【００４５】
不揮発性メモリ４９には、予め子機４の固有番号と、各ポートのポート番号及びそれに対応する回線品質監視部のオン／オフを示す情報を記憶するエリアが設けられており、回線品質監視動作停止指示で指定されたポート番号に基づいて、対応する回線品質監視部のオン／オフ）が記憶されるようになっている。
【００４６】
具体的には、システム構築時に、スレーブポート４１が上位装置に接続される場合には上位回線品質監視部４６について「オン」が記憶され、空きポートとなる場合「オフ」が記憶される。
また、マスタポート４２が下位装置に接続される場合には下位回線品質監視部４７について「オン」が記憶され、空きポートの場合には「オフ」が記憶される。
不揮発性メモリ４９は、電源切断されても情報を記憶しているので、電源投入の度に監視卓７からオン／オフの指示を送信する必要はない。
【００４７】
尚、デフォルトでは上位回線品質監視部４６及び下位回線品質監視部４７のポート番号に対応する回線品質監視部の動作を「オン」に設定しておき、入力されたデータに基づいて、指定されたポート番号に対応する回線品質監視部の動作を「オフ」に書き換えるようにしてもよい。
【００４８】
子機４の制御部４８は、ＣＰＵ（Central Processing Unit）等で構成され、記憶部（図示せず）に記憶されているプログラムを起動して、各種の処理を行う。
そして、子機４の制御部４８は、上位回線品質監視部４６又は下位回線品質監視部４７から回線品質の異常を示す信号が入力された場合に、監視卓７に異常を報知する。
【００４９】
更に本システムの特徴として、制御部４８は、監視卓７からの回線品質監視動作停止指示を受信すると、当該情報に基づいて、未使用ポートに対応する回線品質監視部をオフとするよう、不揮発性メモリ４９に上位回線品質監視部４６及び下位回線品質監視部４７の動作のオン／オフを示す情報を記憶すると共に、装置の電源投入時に、不揮発性メモリ４９に記憶された情報に従って、上位回線品質監視部４６及び下位回線品質監視部４７の動作開始／停止を制御する。ここでは、不揮発性メモリ４９に「オフ」が記憶されている場合に、対応する上位品質監視部４６又は下位回線品質監視部４７に対して動作停止の制御を行うようにしている。
【００５０】
これにより、未使用ポートに対応する上位回線品質監視部４６又は下位回線品質監視部４７の動作を停止することができ、上位回線品質監視部４６及び下位回線品質監視部４７で回線品質の不良として誤検出するのを防ぎ、誤って回線異常を監視卓７に報知してしまうのを防ぐことができ、システムの信頼性を向上させ、メンテナンスを容易にするものである。
【００５１】
また、システムの変更時等、システムの運用後に監視卓７から新たに回線品質監視動作停止指示が送信された場合には、制御部４８は、受信した指示に基づいて、不揮発性メモリ４９に記憶されている情報を更新する。
【００５２】
［子機４の動作：図１］
本システムの子機４の特徴部分の動作について説明する。
子機４の制御部４８は、外部から回線品質監視動作停止指示が入力されると、指示に応じて上位回線品質監視部４６及び下位回線品質監視部４７の動作のオン／オフを示す情報に変換して、不揮発性メモリ４９に格納する。監視卓７から送信されたデータを格納してもよい。未使用ポートに対応する回線品質監視部の動作はオフとして記憶される。ここで、不揮発性メモリ４９へのデータの格納は通常システム運用前のシステム構築時に行われる。
【００５３】
そして、子機４の制御部４８は、電源投入時に、不揮発性メモリ４９から上位回線品質監視部４６及び下位回線品質監視部４７の動作のオン／オフを示す情報を読み取って、オフであれば、それに対応する回線品質監視部の動作を停止する。これにより、空きポートに対応する回線品質監視部は動作を行わず、誤った回線異常を検出しないものである。このようにして子機４の動作が行われる。
【００５４】
［ＨＵＢ５の構成：図２］
本システムのＨＵＢ５の構成について図２を用いて説明する。図２は、ＨＵＢ５の構成ブロック図である。
図２に示すように、ＨＵＢ５は、スレーブポート５１と、マスタポート５２ａ〜５２ｎと、上位回線品質監視部５６と、下位回線品質監視部５７ａ〜５７ｎと、制御部５８と、不揮発性メモリ５９とを備えている。
各構成部分は、子機４において説明したものと同様の構成及び動作であるため、ここでは詳細な説明を省略する。
【００５５】
尚、ここでは図を簡単にするために、マスタポート５２ａ及び下位回線品質監視部５７ａの１組しか明示していないが、複数のマスタポート５２ａ〜５２ｎが設けられており、更に各マスタポート５２に１対１に対応して下位回線品質監視部５７ａ〜５７ｎが設けられている。そして、全ての下位回線品質監視部５７は制御部４８に接続されて、制御部４８から動作のオン／オフの制御を受けるようになっている。
同様に、上位回線品質監視部５６も制御部４８から動作のオン／オフの制御を受けるようになっている。
【００５６】
ＨＵＢ５の不揮発性メモリ５９には、子機４の不揮発性メモリ４９と同様に、装置に設けられた回線品質監視部に対する動作のオン／オフを指定するデータが記憶されている。
具体的には、上位回線品質監視部５６と、下位回線品質監視部５７ａ〜５７ｎについて、各回線品質監視部に対応するポートの接続状態に応じて動作のオン／オフを示す情報が記憶されている。すなわち、使用ポートに対応する回線品質監視部については「オン」が記憶され、空きポートに対応する回線品質監視部については「オフ」が記憶されている。
例えば、デフォルトでは全てのポート番号に対応する回線品質監視部の動作を「オン」に設定しておき、入力されたデータに基づいて、指定されたポート番号に対応する回線品質監視部の動作を「オフ」に書き換えるようにしてもよい。
【００５７】
ＨＵＢ５の制御部５８は、上位回線品質監視部５６又は下位回線品質監視部５７から回線品質の異常を示す信号が入力された場合、監視卓７に異常を報知する。
更に、ＨＵＢ５の制御部５８は、監視卓７から送信された回線品質監視動作停止指示に基づいて、不揮発性メモリ５９に上位回線品質監視部５６及び下位回線品質監視部５７ａ〜５７ｎの動作のオン／オフを示す情報を記憶する。回線品質監視動作停止指示によって指定されたポート番号に対応する回線品質監視部の動作はオフとして記憶され、それ以外の回線品質監視部はオンとして記憶される。
【００５８】
そして、装置の電源投入時に、不揮発性メモリ５９に記憶された情報に従って、上位回線品質監視部５６及び下位回線品質監視部５７ａ〜５７ｎの動作開始／停止を制御する。ここでは、不揮発性メモリ４９に「オフ」を示す情報が記憶されている場合に、対応する上位品質監視部５６又は下位回線品質監視部５７に対して動作停止の制御を行うようにしている。
【００５９】
［中継機２の構成：図３］
本システムの中継機２の構成について図３を用いて説明する。図３は、中継機２の構成ブロック図である。
中継機２は、複数のマスタポート２２ａ〜２２ｎと、回線品質監視部２３ａ〜２３ｎと、信号処理部２４と、制御部２５と、無線部２６と、不揮発性メモリ２７から構成されている。
【００６０】
図を簡単にするために、ここではマスタポート２２ａと回線品質監視部２３ａの１組しか明示していないが、複数のマスタポート２２ａ〜２２ｎが設けられており、更に各マスタポート２２に１対１に対応して回線品質監視部２３ａ〜２３ｎが設けられている。マスタポート２２は、子機４及びＨＵＢ５に設けられたマスタポート４２，５２と同様であり、光ファイバで接続された下位装置に対して光信号の送受信を行う。
【００６１】
信号処理部２４は、各マスタポート２２から入力された下位装置からのベースバンド信号のデジタル信号処理を行って無線部２６に出力すると共に、無線部２６から入力された上位装置からの無線信号のデジタル信号処理を行ってベースバンド信号として各マスタポート２２の電気光変換部に送出する。
【００６２】
無線部２６は、信号処理部２４からのベースバンド信号を無線周波数に変換して基地局に出力すると共に、基地局からの無線周波数信号を受信してベースバンド信号に変換し、信号処理部２３に出力する。
【００６３】
また、本システムの特徴として、子機４及びＨＵＢ５と同様に、中継機２の不揮発性メモリ２７に、各回線品質監視部２３ａ〜２３ｎに対応して動作のオン／オフを指定するデータが記憶されている。すなわち、下位装置が接続されたマスタポート２２に対応する回線品質監視部２３については「オン」が記憶され、下位装置が接続されていない未使用ポートに対応する回線品質監視部２３については「オフ」が記憶されている。
【００６４】
［監視卓からのデータ設定：図４］
本システムの監視卓７から、各装置に対して回線品質監視部の動作のオン／オフを指定するシーケンスについて図４を用いて説明する。図４は、監視卓７から中継機２、ＨＵＢ５、子機４に対して回線品質監視部の動作のオン／オフを指定するシーケンスの模式説明図である。
図４に示すように、監視卓７では、オペレータによって未使用ポートがある装置の固有番号と、未使用ポートとなっているポートの番号と、回線品質監視動作を停止させる特定の指示が入力されると、当該装置宛に、ポート番号とそれに対応する回線品質監視部の動作を停止する指示（回線品質監視動作停止指示）を送信する。
【００６５】
例えば、監視卓７は、中継機２に対してポート番号を指定して回線品質監視動作停止指示を送信する（Ｓ１）と、中継機２の制御部２５は、受信した情報に基づいて、ポート番号に対応する回線品質監視部の動作を示す情報を「オフ」とし、他のポート番号に対応する回線品質監視部の動作を示す情報を「オン」として、不揮発性メモリ２７に回線品質監視部の動作のオン／オフを指定するデータとして記憶する（Ｓ２）。
そして、制御部２５は、完了通知を監視卓７に送信する。
【００６６】
同様にして、ＨＵＢ５に対しても監視卓７からの指示により、不揮発性メモリ５９に各回線品質監視部の動作のオン／オフを指定するデータが記憶される（Ｓ１１〜Ｓ１３）。
また、子機４に対しても、監視卓７からの指示により、不揮発性メモリ４９に上位回線品質監視部４６と下位回線品質監視部４７の動作のオン／オフを指定するデータが記憶される（Ｓ２１〜Ｓ２３）。
これにより、次回の装置立ち上げ時に新たに監視卓７からの指示がなくても、各装置の制御部が回線品質監視部の動作のオン／オフをしているデータを読み込んで、オフに指定されている回線品質監視部の動作を停止する制御を行うことができるものである。
【００６７】
尚、各装置の制御部が、監視卓７からマスタポートを特定するポート番号及びそれに対応する回線品質監視部を停止させる指示を受信すると、不揮発性メモリに、指示で指定されたポート番号に対応する回線品質監視部について動作の「オフ」を示す情報を記憶すると共に、「オフ」を示す情報に応じて回線品質監視部の動作を停止させるようにしてもよい。
【００６８】
［実施の形態の効果］
本発明の実施の形態に係る無線通信システムによれば、中継機２、子機４、ＨＵＢ５が、ポートにおける回線品質を監視する回線品質監視部を備え、回線品質の異常が検出された場合には、制御部が監視卓７に異常を報知する無線通信システムであって、中継機２、子機４、ＨＵＢ５に、各スレーブポート及びマスタポートに対応する回線品質監視部の動作のオン／オフを指定するデータを記憶する不揮発性メモリを備え、制御部が、予め入力されたデータに基づいて、各ポートの使用／未使用の状態に応じて対応する回線品質監視部の動作のオン／オフを指定するデータ不揮発性メモリに記憶しておき、装置の電源投入時に、制御部が不揮発性メモリから各回線品質監視部の動作のオン／オフを指定するデータを読み取って、当該データに基づいて「オフ」に指定されている回線品質監視部の動作を停止させる無線通信システムとしているので、未使用ポートの回線品質を監視する回線品質監視部が通信品質が不良であると判断してしまうのを防ぎ、装置から監視卓７に誤った異常報告が為されるのを防ぐことができ、監視卓のオペレータの作業を軽減すると共に、メンテナンスを容易にし、システムの信頼性を向上させることができる効果がある。
【００６９】
また、本システムによれば、監視卓７から、中継機２、子機４、ＨＵＢ５に対して、装置番号とポート番号とを指定して、回線品質監視部の動作を停止する回線品質監視動作停止指示を送信すると、指定された装置は指示を受信して、制御部が、指示に基づいて不揮発性メモリにポート番号に対応する回線品質監視部の動作を示す情報を「オフ」として記憶すると共に、電源投入時に、「オフ」に指定されたポート番号に対応する回線品質監視部の動作を停止させる無線通信システムとしているので、回線品質監視部の動作のオン／オフを監視卓７から遠隔操作でき、システムの構成が変更になってポートの使用／未使用の状態が変更になった場合でも、それに対応して回線品質監視部の動作のオン／オフの変更を容易に行うことができ、システムのメンテナンスを容易にすることができる効果がある。
【００７０】
また、別の例として、各装置におけるポート毎の回線品質監視部のオン／オフを示す情報を、基地局１の不揮発性メモリ（図示せず）に記憶しておき、各装置の立ち上げ時に、基地局１の制御部（図示せず）が、不揮発性メモリに記憶された各装置におけるポート毎の回線品質監視部のオン／オフを示す情報を読み出して送信し、それに基づいて各装置の制御部が不揮発性メモリに各回線品質監視部の動作のオン／オフを示す情報を記憶し、「オフ」に指定されたポート番号に対応する回線品質監視部の動作を停止させるようにしてもよい。
また、各装置の制御部が、基地局１からのポート毎の回線品質監視部のオン／オフのデータに応じて、不揮発性メモリに当該情報を記憶することなく「オフ」に指定されたポート番号に対応する回線品質監視部の動作を停止させるようにしてもよい。
【００７１】
更に、本実施の形態では、子機４及びＨＵＢ５が、スレーブポートとマスタポートの両方について回線品質監視部の動作／停止を制御するようにしたが、下位に接続するマスタポートのみを制御の対象として、下位回線品質監視部のみを停止することも可能であり、その場合でも本システムと同様の効果が得られ、装置の構成及び動作を簡略化することができるという効果がある。
【００７２】
また、本実施の形態では、光ファイバを備えた光伝送システムについて説明したが、光ファイバではなく、高周波信号を伝送するケーブルを備えた無線通信システムに対してもポートの使用／未使用に応じた回線品質監視部のオン／オフを示す情報を不揮発性メモリに記憶しておき、それに従って装置の電源投入時に制御部が回線品質監視部の動作をオン又はオフすることにより、同様の効果が得られるものである。
【産業上の利用可能性】
【００７３】
本発明は、子機やＨＵＢを多段に接続したシステムにおいて、下位装置から誤った異常報告が出力されるのを防ぎ、システムの信頼線を向上させ、メンテナンスを容易にすることができる無線通信システムに適している。
【図面の簡単な説明】
【００７４】
【図１】本発明の実施の形態に係る無線通信システムの子機４の構成を示す構成ブロック図である。
【図２】ＨＵＢ５の構成ブロック図である。
【図３】中継機２の構成ブロック図である。
【図４】監視卓７から中継機２、ＨＵＢ５、子機４に対して回線品質監視部の動作のオン／オフを指定するシーケンスの模式説明図である。
【図５】チェーン型接続可能な子機及びＨＵＢを備えた無線通信システムの構成例を示す模式説明図である。
【符号の説明】
【００７５】
１…基地局、  ２…中継機、  ３…光ファイバ、  ４…子機、  ５…ＨＵＢ、  ２２，４２，５２…マスタポート、  ２４，４３…信号処理部、  ２５，４８，５８…制御部、  ２６，４４…無線部、  ２７，４９，５９…不揮発性メモリ、  ４１，５１…スレーブポート、  ４５…アンテナ、  ４６，５６…上位回線品質監視部、  ４７，５７…下位回線品質監視部
【図１】
2010074268.tif 000003
【図２】
2010074268.tif 000004
【図３】
2010074268.tif 000005
【図４】
2010074268.tif 000006
【図５】
2010074268.tif 000007